(57)【要約】【課題】Ｗｉ−Ｆｉ等の無線ＬＡＮの接続時に、各種各様のサービスを提供すること。【解決手段】サービス提供アクセスポイント１１は、キャリアのプロファイルにより無線通信を確立する機能を有するユーザ端末１２に対して、無線通信を確立する。具体的には、キャリア識別ＩＤ送信制御部１０２は、キャリア識別ＩＤを、ユーザ端末１２に送信する制御を実行する。ユーザ端末１２は、キャリア識別ＩＤを受信すると、プロファイルを実行して、アンサを送信する。アンサ受信制御部１０３は、当該アンサを受信する制御を実行する。ＳＮＳ誘導情報送信制御部１０４は、無線通信を確立するための情報に、所定のサービスの提供に関する情報、ここではＳＮＳに誘導するための情報を付加して、ユーザ端末１２に送信する制御を実行する。【選択図】図４
2018152633.tif 000002
【特許請求の範囲】
【請求項１】
キャリアのプロファイルにより無線通信を確立する機能を有する他の情報処理装置に対して、無線通信を確立する情報処理装置において、
前記キャリアを特定するためのキャリア識別ＩＤを、前記他の情報処理装置に送信する制御を実行するＩＤ送信制御手段と、
前記キャリア識別ＩＤが受信された前記他の情報処理装置によって、前記プロファイルが実行されて、アンサが送信されてきた場合、当該アンサを受信する制御を実行するアンサ受信制御手段と、
前記情報処理装置との無線通信を確立するための情報に、所定のサービスの提供に関する情報を付加して、前記他の情報処理装置に送信する制御を実行する情報送信制御手段と、
を備える情報処理装置。
【請求項２】
前記情報処理装置は、無線通信が確立した前記他の情報処理装置と外部ネットワークとの間で授受される情報を通信する通信手段をさらに備え、
前記所定のサービスを提供するための情報は、前記外部ネットワークにおけるサイトに誘導する情報を含む、
請求項１に記載の情報処理装置。
【請求項３】
前記所定のサービスを提供するための情報は、広告情報を含む、
請求項１又は２に記載の情報処理装置。
【請求項４】
前記所定のサービスを提供するための情報は、前記他の情報処理装置に対する所定の操作を条件に無線接続の確立を行わせるための情報を含む、
請求項１乃至３のうち何れか１項に記載の情報処理装置。
【請求項５】
キャリアのプロファイルにより無線通信を確立する機能を有する他の情報処理装置に対して、無線通信を確立する情報処理装置が実行する情報処理方法において、
前記キャリアを特定するためのキャリア識別ＩＤを、前記他の情報処理装置に送信する制御を実行するＩＤ送信制御ステップと、
前記キャリア識別ＩＤが受信された前記他の情報処理装置によって、前記プロファイルが実行されて、アンサが送信されてきた場合、当該アンサを受信する制御を実行するアンサ受信制御ステップと、
前記情報処理装置との無線通信を確立するための情報に、所定のサービスの提供に関する情報を付加して、前記他の情報処理装置に送信する制御を実行する情報送信制御ステップと、
を含む情報処理方法。
【請求項６】
キャリアのプロファイルにより無線通信を確立する機能を有する他の情報処理装置に対して、無線通信を確立する情報処理装置を制御するコンピュータを
前記キャリアを特定するためのキャリア識別ＩＤを、前記他の情報処理装置に送信する制御を実行するＩＤ送信制御手段、
前記キャリア識別ＩＤが受信された前記他の情報処理装置によって、前記プロファイルが実行されて、アンサが送信されてきた場合、当該アンサを受信する制御を実行するアンサ受信制御手段、
前記情報処理装置との無線通信を確立するための情報に、所定のサービスの提供に関する情報を付加して、前記他の情報処理装置に送信する制御を実行する情報送信制御手段、
として機能させるプログラム。
【発明の詳細な説明】
【技術分野】
【０００１】
本発明は、情報処理装置、情報処理方法、及びプログラムに関する。
【背景技術】
【０００２】
近年、スマートフォンの普及が著しい。スマートフォンでインターネットに接続する形態としては、一般的な３Ｇ（３ｒｄ  Ｇｅｎｅｒａｔｉｏｎ）回線等の携帯電話用回線を用いる形態に加えて、Ｗｉ−Ｆｉ（Ｗｉｒｅｌｅｓｓ Ｆｉｄｅｌｉｔｙ）等の無線ＬＡＮ（Ｌｏｃａｌ  Ａｒｅａ  Ｎｅｔｗｏｒｋ）を用いる形態も普及してきている（特許文献１参照）。
【０００３】
ただし、スマートフォンの無線ＬＡＮの設定は、その設定用パラメータが専門的であり、一般のユーザには敷居の高いものとなっている。このため、キャリアが管理するＷｉ−Ｆｉスポット（アクセスポイント）を利用するユーザのスマートフォンには、当該キャリアが提供する、無線設定用のプロファイルが予め入力されている。
これにより、スマートフォンが、Ｗｉ−Ｆｉスポットの傍でメール送信等の通信を行おうとするだけで、当該Ｗｉ−Ｆｉスポットを介してインターネットに自動的に接続されるため、ユーザにとって便宜である。
【先行技術文献】
【特許文献】
【０００４】
【特許文献１】特開２０１３−１０６３３２号公報
【発明の概要】
【発明が解決しようとする課題】
【０００５】
しかしながら、Ｗｉ−Ｆｉ等の無線ＬＡＮの接続時に、各種各様のサービスを提供したいという要望が近年挙げられているが、特許文献１を含め従来の技術では、かかる要望に充分に応えられない状況である。
【０００６】
本発明は、このような状況に鑑みてなされたものであり、Ｗｉ−Ｆｉ等の無線ＬＡＮの接続時に、各種各様のサービスを提供することを目的とする。
【課題を解決するための手段】
【０００７】
上記目的を達成するため、本発明の一態様の情報処理装置は、
キャリアのプロファイルにより無線通信を確立する機能を有する他の情報処理装置に対して、無線通信を確立する情報処理装置において、
前記キャリアを特定するためのキャリア識別ＩＤを、前記他の情報処理装置に送信する制御を実行するＩＤ送信制御手段と、
前記キャリア識別ＩＤが受信された前記他の情報処理装置によって、前記プロファイルが実行されて、アンサが送信されてきた場合、当該アンサを受信する制御を実行するアンサ受信制御手段と、
前記情報処理装置との無線通信を確立するための情報に、所定のサービスの提供に関する情報を付加して、前記他の情報処理装置に送信する制御を実行する情報送信制御手段と、
を備えることを特徴とする。
【０００８】
この情報処理装置は、無線通信が確立した前記他の情報処理装置と外部ネットワークとの間で授受される情報を通信する通信手段をさらに備え、
前記所定のサービスを提供するための情報は、前記外部ネットワークにおけるサイトに誘導する情報を含む、
ようにすることができる。
【０００９】
この情報処理装置においては、
前記所定のサービスを提供するための情報は、広告情報を含む、
ようにすることができる。
【００１０】
この情報処理装置においては、
前記所定のサービスを提供するための情報は、前記他の情報処理装置に対する所定の操作を条件に無線接続の確立を行わせるための情報を含む、
ようにすることができる。
【００１１】
また、上記目的を達成するため、本発明の一態様の情報処理方法及びプログラムは、上述の本発明の一態様の情報処理装置に対応する方法及びプログラムである。
【発明の効果】
【００１２】
本発明によれば、Ｗｉ−Ｆｉ等の無線ＬＡＮの接続時に、各種各様のサービスを提供することができる。
【図面の簡単な説明】
【００１３】
【図１】本発明の情報処理システムの一実施形態の構成を示すブロック図である。
【図２】図１の情報処理システムのうち、本発明の情報処理装置の一実施形態としてのサービス提供アクセスポイントのハードウェアの構成を示すブロック図である。
【図３】図１の情報処理システムのうち、ユーザ端末のハードウェアの構成を示すブロック図である。
【図４】図４は、図１の情報処理システムの機能的構成を示す機能ブロック図である。
【図５】、図４の機能的構成を有する情報処理システムの処理の流れを説明するアローチャートである。
【発明を実施するための形態】
【００１４】
図１は、本発明の情報処理システムの一実施形態の構成を示している。
図１に示す情報処理システムは、サービス提供アクセスポイント１１と、ユーザ端末１２と、ＳＮＳ管理サーバ１３とによって構成されている。
なお、サービス提供アクセスポイント１１と、ユーザ端末１２と、ＳＮＳ管理サーバ１３との夫々は、図１の例では説明の便宜上１台ずつ図示されているが、複数台であっても構わない。
【００１５】
サービス提供アクセスポイント１１は、本発明の情報処理装置の一実施形態として構成されるアクセスポイントである。サービス提供アクセスポイント１１は、Ｗｉ−Ｆｉ等の所定の無線ＬＡＮの規格に準拠したユーザ端末１２との接続（以下、「無線接続」と呼ぶ）を確立させ、インターネット等の所定のネットワークＮを通じて、所定のＳＮＳ等にユーザ端末１２（その所持者のユーザ）を誘導するサービスを提供するために、各種処理を実行する。
ユーザ端末１２は、ユーザに所持される、所定のキャリア（電気通信業者）に加入したスマートフォンや携帯電話機等で構成される。
ＳＮＳ管理サーバ１３は、ネットワークＮと接続して、所定のＳＮＳのサービスを提供するために、各種処理を実行するサーバである。
【００１６】
図２は、図１の情報処理システムのうち、本発明の情報処理装置の一実施形態としてのサービス提供アクセスポイント１１のハードウェアの構成を示すブロック図である。
サービス提供アクセスポイント１１は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、バス２４と、入出力インターフェース２５と、出力部２６と、入力部２７と、記憶部２８と、通信部２９と、ドライブ３０とを備えている。
【００１７】
ＣＰＵ２１は、ＲＯＭ２２に記録されているプログラム、又は、記憶部２８からＲＡＭ２３にロードされたプログラムに従って各種の処理を実行する。
ＲＡＭ２３には、ＣＰＵ２１が各種の処理を実行する上において必要なデータ等も適宜記憶される。
【００１８】
ＣＰＵ２１、ＲＯＭ２２及びＲＡＭ２３は、バス２４を介して相互に接続されている。このバス２４にはまた、入出力インターフェース２５も接続されている。入出力インターフェース２５には、出力部２６、入力部２７、記憶部２８、通信部２９、及びドライブ３０が接続されている。
【００１９】
出力部２６は、ディスプレイやスピーカ等で構成され、画像や音声等の各種情報を出力する。
入力部２７は、マウスやキーボード等で構成され、各種情報を入力する。
記憶部２８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部２９は、ユーザ端末１２とＷｉ−Ｆｉ等の無線ＬＡＮによる無線通信を制御するとともに、インターネット等のネットワークＮを介して他の装置（本実施形態では主に図１のＳＮＳ管理サーバ１３）との間で行う通信を制御する。即ち、通信部２９は、ユーザ端末１２とＳＮＳ管理サーバ１３との間のネットワークＮを介在する通信の中継を制御する。
【００２０】
ドライブ３０には、必要に応じて、リムーバブルメディア４１が適宜装着される。ドライブ３０によってリムーバブルメディア４１から読み出されたプログラムは、必要に応じて記憶部２８にインストールされる。また、リムーバブルメディア４１は、記憶部２８に記憶されている各種データも、記憶部２８と同様に記憶することができる。
【００２１】
図３は、図１の情報処理システムのうち、ユーザ端末１２のハードウェアの構成を示すブロック図である。
ユーザ端末１２は、ＣＰＵ５１と、ＲＯＭ５２と、ＲＡＭ５３と、バス５４と、入出力インターフェース５５と、入力部５６と、表示部５７と、記憶部５８と、通信部５９と、ドライブ６０とを備えている。
【００２２】
ＣＰＵ５１は、ＲＯＭ５２に記録されているプログラム、又は、記憶部５８からＲＡＭ５３にロードされたプログラムに従って各種の処理を実行する。
ＲＡＭ５３には、ＣＰＵ５１が各種の処理を実行する上において必要なデータ等も適宜記憶される。
【００２３】
ＣＰＵ５１、ＲＯＭ５２及びＲＡＭ５３は、バス５４を介して相互に接続されている。このバス５４にはまた、入出力インターフェース５５も接続されている。入出力インターフェース５５には、入力部５６、表示部５７、記憶部５８、通信部５９、及びドライブ６０が接続されている。
【００２４】
入力部５６は、例えば表示部５７の表示領域に積層される静電容量式又は抵抗膜式の位置入力センサにより構成され、タッチ操作がなされた位置の座標を検出する。ここで、タッチ操作とは、入力部５６に対する物体（ユーザの指やタッチペン等）の接触又は近接の操作をいう。なお、以下、タッチ操作がなされた位置を「タッチ位置」と呼び、タッチ位置の座標を「タッチ座標」と呼ぶ。
表示部５７は、ディスプレイにより構成され、各種画像を表示する。
即ち、本実施形態では、入力部５６と表示部５７とにより、タッチパネルが構成されている。
【００２５】
記憶部５８は、ＤＲＡＭ等で構成され、各種データを記憶する。
通信部５９は、キャリアが提供する通信網（図示せず）による通信と、Ｗｉ−Ｆｉ等の無線ＬＡＮによるアクセスポイント（本実施形態では主に図１のサービス提供アクセスポイント１１）との通信を制御する。
【００２６】
ドライブ６０には、必要に応じて、リムーバブルメディア７１が適宜装着される。ドライブ６０によってリムーバブルメディア７１から読み出されたプログラムは、必要に応じて記憶部５８にインストールされる。また、リムーバブルメディア７１は、記憶部５８に記憶されている各種データも、記憶部５８と同様に記憶することができる。
【００２７】
図４は、図１の情報処理システムの機能的構成を示す機能ブロック図である。
【００２８】
サービス提供アクセスポイント１１のＣＰＵ２１（図２）においては、図４に示すように、ＳＮＳ誘導情報生成部１０１と、キャリア識別ＩＤ送信制御部１０２と、アンサ受信制御部１０３と、ＳＮＳ誘導情報送信制御部１０４と、無線接続確立部１０５とが機能する。なお、ＳＮＳ誘導情報生成部１０１乃至無線接続確立部１０５が有する機能については、図５のアローチャート等を適宜参照して後述する。
また、記憶部２８の一領域には、ＳＮＳ誘導情報記憶部１０６が設けられる。
【００２９】
ユーザ端末１２のＣＰＵ５１（図３）においては、図４に示すように、キャリア識別ＩＤ受信制御部１５１と、アンサ送信制御部１５２と、ＳＮＳ誘導情報受信制御部１５３と、ＳＮＳ誘導情報実行部１５４と、ＳＮＳアプリ実行部１５５とが機能する。なお、キャリア識別ＩＤ受信制御部１５１乃至ＳＮＳアプリ実行部１５５が有する機能については、図５のアローチャート等を適宜参照して後述する。
【００３０】
図５は、図４の機能的構成を有する情報処理システムの処理の流れを説明するアローチャートである。
図５の例では、サービス提供アクセスポイント１１の通信圏内に入った（より正確にはその後通信を試みようとした）ユーザ端末１２に対して、サービス提供アクセスポイント１１との無線接続を確立し、サービス提供アクセスポイント１１を介するネットワークＮと適宜通信し、ＳＮＳ管理サーバ１３によって管理されるＳＮＳに自動的に誘導するまでの処理の流れが示されている。
【００３１】
ステップＳ１において、サービス提供アクセスポイント１１のＳＮＳ誘導情報生成部１０１は、ＳＮＳ誘導情報を生成して、ＳＮＳ誘導情報記憶部１０６に記憶させる。
【００３２】
ここで、ＳＮＳ誘導情報について説明する。
本実施形態では、ユーザ端末１２は、上述の如く所定のキャリアに加入しており、当該所定のキャリアが管理するＷｉ−Ｆｉスポット（アクセスポイント）の通信圏内に入り、メール送信等の何かしらの通信を試みると、当該Ｗｉ−Ｆｉスポットと無線接続を確立しようとする機能（いわゆるキャプティブポータル機能）を有している。
この無線接続を確立しようとする機能は、当該所定のキャリアが提供するプロファイルにより可能となる。プロファイルとは、ユーザ端末１２が無線接続するための手順指示書をいい、当該無線ＬＡＮのＩＤやパスワードも含まれている。
即ち、所定のキャリアが管理するＷｉ−Ｆｉスポット（アクセスポイント）は、当該所定のキャリアを特定可能な識別子（以下、「キャリア識別ＩＤ」と呼ぶ）を逐次送信している。ユーザ端末１２は、当該Ｗｉ−Ｆｉスポット（アクセスポイント）の通信圏内に入り、メール送信等の何かしらの通信を試みると、このキャリア識別ＩＤを受信することになる。ユーザ端末１２は、このキャリア識別ＩＤにより、自機が加入しているキャリアの当該Ｗｉｆ−ｉスポットであると認識し、内蔵されているプロファイルを実行する。具体的には、先ず、ユーザ端末１２は、ＩＤとパスワードを当該Ｗｉｆ−ｉスポットに送信する。すると、当該Ｗｉ−Ｆｉスポットは、ＩＤとパスワードからユーザ端末１２を正規な端末と認証し、自動的に無線接続するために必要なスクリプトを送信する。ユーザ端末１２は、当該スクリプトを実行することで、当該Ｗｉ−Ｆｉスポットと自動的に無線接続を確立する。
【００３３】
本実施形態のサービス提供アクセスポイント１１も、キャリアに管理されておらずに上述のＳＮＳに誘導するサービスを提供する者に管理されているが、上記キャリア識別ＩＤを逐次送信する。これにより、ユーザ端末１２は、サービス提供アクセスポイント１１を、あたかも上記所定のキャリアのＷｉ−Ｆｉスポット（アクセスポイント）として認識して、無線接続を確立しようとする機能（キャプティブポータル機能）を発揮させる。
そこで、サービス提供アクセスポイント１１は、上記所定のキャリアが送信するスクリプトの代わりに、当該サービス提供アクセスポイント１１と無銭接続する情報に加えて、ＳＮＳ管理サーバ１３によって管理されているＳＮＳに誘導するための情報を付加したもの（スクリプト）をユーザ端末１２に送信する。このような情報（スクリプト）が、本実施形態では「ＳＮＳ誘導情報」と呼ばれている。
本実施形態のＳＮＳ誘導情報には、ＳＮＳ管理サーバ１３によって管理されているＳＮＳに誘導するための、ＵＲＬスキームの記述も含まれている。本実施形態では、ユーザ端末１２には、当該ＳＮＳを利用するためのアプリケーションソフトウェア（以下、「ＳＮＳアプリ」と呼ぶ）がインストールされているものとする。そこで、例えば、当該ＳＮＳアプリを起動させて、ＳＮＳ管理サーバ１３と通信をして当該ＳＮＳのトップページ等を表示させるための命令を含むＵＲＬスキームの記述が、本実施形態のＳＮＳ誘導情報には含まれているものとする。
これにより、ユーザ端末１２においてＳＮＳ誘導情報が実行されると、本実施形態のサービス提供アクセスポイント１１と無線接続が確立された後、ＳＮＳのトップページ等が表示されることになる。
このようにして、サービス提供アクセスポイント１１の管理者等は、サービス提供アクセスポイント１１と無銭接続されるユーザ端末１２（その所持者であるユーザ）を、所望のＳＮＳ（図１の例ではＳＮＳ管理サーバ１３によって管理されるＳＮＳ）に誘導するサービスを容易に提供することが可能になる。
【００３４】
なお、ＳＮＳ誘導情報は、本実施形態ではサービス提供アクセスポイント１１において生成されているが、その生成場所は特に限定されず、後述するステップＳ２の実行前に、ＳＮＳ誘導情報記憶部１０６に記憶されていれば足りる。
即ち、ステップＳ１の処理は、いわゆる前処理であり、その実行場所は、サービス提供アクセスポイント１１に特に限定されない。
何れにしても、前処理としてのステップＳ１において、ＳＮＳ誘導情報が生成されてＳＮＳ誘導情報記憶部１０６に記憶されると、処理はステップＳ２に進む。
【００３５】
ステップＳ２において、サービス提供アクセスポイント１１のキャリア識別ＩＤ送信制御部１０２は、キャリア識別ＩＤを通信部２９を介して送信する。ここで、キャリア識別ＩＤは、上述したように、ユーザ端末１２が加入しているキャリアを特定可能な識別子である。
なお、キャリア識別ＩＤは、サービス提供アクセスポイント１１から逐次送信されている。従って、ユーザ端末１２が、サービス提供アクセスポイント１１の通信圏内に入り、メール送信等の通信を試みたときに、次のようなステップＳ２１以降の処理が実行される。
【００３６】
即ち、ステップＳ２１において、ユーザ端末１２のキャリア識別ＩＤ受信制御部１５１は、当該キャリア識別ＩＤを通信部５９を介して受信する。
ステップＳ２２において、ユーザ端末１２のアンサ受信制御部１０３は、当該キャリア識別ＩＤから、上述したように、サービス提供アクセスポイント１１をあたかもキャリアのＷｉ−Ｆｉであると認識し、内蔵されているプロファイルに従って、ＩＤとパスワードを含むアンサを生成して、通信部５９を介して送信する。
【００３７】
ステップＳ３において、サービス提供アクセスポイント１１のアンサ受信制御部１０３は、当該アンサを、通信部２９を介して受信する。
ここで、キャリアのアクセスポイントであるならば、当該アンサを送信してきたユーザ端末１２の認証処理が行われるところ、サービス提供アクセスポイント１１ではそのような認証処理は特に行われずに、次のステップＳ４の処理が実行される。
ステップＳ４において、サービス提供アクセスポイント１１のＳＮＳ誘導情報送信制御部１０４は、ＳＮＳ誘導情報を、ＳＮＳ誘導情報記憶部１０６から読み出して通信部２９を介して送信する。
【００３８】
ステップＳ２３において、ユーザ端末１２のＳＮＳ誘導情報受信制御部１５３は、ＳＮＳ誘導情報を通信部５９を介して受信する。
ステップＳ２４において、ユーザ端末１２のＳＮＳ誘導情報実行部１５４は、ＳＮＳ誘導情報を実行する。これにより、以下のステップＳ２５以降の一連の処理が実行される。
【００３９】
ステップＳ２５において、ユーザ端末１２のＳＮＳ誘導情報実行部１５４は、ＳＮＳ誘導情報に従って、無線接続を確立するために必要な処理（以下、「無線接続確立処理」と呼ぶ）を実行する。
この間必要に応じて、ステップＳ５において、サービス提供アクセスポイント１１の無線接続確立部１０５も、無線接続確立処理を実行する。
【００４０】
ステップＳ２５において、ユーザ端末１２のＳＮＳアプリ実行部１５５は、ＳＮＳ誘導情報のＵＲＬスキームに従って、ＳＮＳアプリを起動する。
ステップＳ２６において、ユーザ端末１２のＳＮＳアプリ実行部１５５は、ＳＮＳ誘導情報のＵＲＬスキームに従って、ＳＮＳ管理サーバ１３と適宜通信をして、ＳＮＳのトップページを表示部５７に表示させる等、ＳＮＳに関連する各種処理（以下、「ＳＮＳ関連処理」と呼ぶ）を実行する。
この間必要に応じて、ステップＳ３１において、ＳＮＳ管理サーバ１３も、ＳＮＳ関連処理を実行する。
【００４１】
以上、本発明の情報処理装置の一実施形態について説明したが、本発明は、上述の実施形態に限定されるものではなく、本発明の目的を達成できる範囲での変形、改良等は本発明に含まれるものである。
【００４２】
例えば、ＳＮＳへの誘導の前における、サービス提供アクセスポイント１１との無線接続の確立は、自動的に行われてもよいし、ユーザの明示の意思表示（そのような所定の操作）を得た後に行われてもよい。
ただし、無線接続の確立が自動的に行われると、ユーザにとっていきなりＳＮＳのトップページが立ちあがることになり、混乱を招くおそれもある。そこで、サービスの提供という点では、ユーザの明示の意思表示（そのような所定の操作）の後に無線接続の確立が行われると好適である。
さらに、サービス提供アクセスポイント１１の管理者等側からすれば、ユーザの明示の意思表示（所定の操作）の後に無線接続の確立が行われるようにすれば、所望の条件をユーザに課すことが可能になる。即ち、その条件を承諾したユーザのみが、明示の意思表示（所定の操作）をするので、無線接続の確立及びその後のＳＮＳへの誘導のサービスの提供を受けられる。
この条件は、特に限定されず、ＳＮＳへの参加、ＳＮＳ内の参加メンバーといわゆる「友達」になること、当該場所でいわゆる「チェックイン」をすること等各種各様のものを採用することができる。
【００４３】
また例えば、上述の実施形態では、サービス提供アクセスポイント１１は、ユーザ端末１２からのアンサ（ＩＤとパスワード）を受信すると、ＳＮＳ誘導情報をユーザ端末に送信しているが、送信対象はこれに特に限定されない。
即ち、サービス提供アクセスポイント１１は、無線接続の確立を行うための情報を含めば、当該情報に対して、所定のサービスを提供するために必要な任意の情報を付加することができる。
この情報は、ＵＲＬスキームの記述を含むと好適であるが、別の形態であっても構わない。
例えば、ユーザの明示の意思表示（所定の操作）を条件として無線接続の確立を行わせるための情報を付加することができる。具体的には例えば、所定の操作を受け付けるためのＧＵＩ（Ｇｒａｐｈｉｃａｌ  Ｕｓｅｒ  Ｉｎｔｅｒｆａｃｅ）画像をユーザ端末１２に表示させるための情報を付加することができる。さらには、当該ＧＵＩ画像に含ませる広告情報等の任意の情報を付加することもできる。
また例えば、無線接続の確立後、ＳＮＳ以外の任意のサイトに転送させるための情報を付加することもできる。この場合、広告用のサイトに転送させる情報であってもよいし、サービス提供アクセスポイント１１の設置場所に関連するサイト（設置場所が観光名所ならば、その観光スポットポータル）に転送させる情報であってもよい。
【００４４】
また例えば、本発明が適用される情報処理装置は、上述の実施形態ではサービス提供アクセスポイント１１が採用されたが、特にこれに限定されない。例えば、本発明は、いわゆるテザリング機能を有する電子機器一般に適用することができる。具体的には、例えば、本発明は、スマートフォン、ノート型のパーソナルコンピュータ、デジタルカメラ、ビデオカメラ、携帯型ナビゲーション装置、携帯電話機、ポータブルゲーム機等に適用することが可能である。
【００４５】
換言すると、本発明が適用される情報処理装置は、次のような構成を有していれば足り、その実施形態は特に限定されない。
即ち、本発明が適用される情報処理装置は、
キャリアのプロファイルにより無線通信を確立する機能を有する他の情報処理装置に対して、無線通信を確立する情報処理装置において、
前記キャリアを特定するためのキャリア識別ＩＤを、前記他の情報処理装置に送信する制御を実行するＩＤ送信制御手段と、
前記キャリア識別ＩＤが受信された前記他の情報処理装置によって、前記プロファイルが実行されて、アンサが送信されてきた場合、当該アンサを受信する制御を実行するアンサ受信制御手段と、
前記情報処理装置との無線通信を確立するための情報に、所定のサービスを提供するための情報を付加して、前記他の情報処理装置に送信する制御を実行する情報送信制御手段と、
を備えていれば足りる。
このような情報処理装置を適用することで、Ｗｉ−Ｆｉ等の無線ＬＡＮの接続時に、各種各様のサービスを提供することができる。
【００４６】
上述の実施形態による一連の処理は、ハードウェアにより実行させることもできるし、ソフトウェアにより実行させることもできる。
換言すると、上述した各手段による一連の処理を全体として実行できる機能が情報処理システムに備えられていれば足り、この機能を実現するためにどのように各手段を構成するのかについては特に限定されない。即ち、所定の手段は、ハードウェア単体で構成してもよいし、ソフトウェア単体で構成してもよいし、それらの組み合わせで構成してもよい。
【００４７】
一連の処理をソフトウェアにより実行させる場合には、そのソフトウェアを構成するプログラムが、ユーザ端末、サーバ、タクシー端末等のコンピュータに対して、ネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００４８】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されているＲＯＭや、ハードディスク等で構成される。
【００４９】
なお、記録媒体に記録されるプログラムを記述するステップは、その順序に沿って時系列的に行われる処理はもちろん、必ずしも時系列的に処理されなくとも、並列的或いは個別に実行される処理をも含むものである。
【００５０】
また、本明細書において、システムとは、複数の装置や複数の部等より構成される全体的な装置を意味する。
【符号の説明】
【００５１】
１１・・・サービス提供アクセスポイント、１２・・・ユーザ端末、１３・・・ＳＮＳ管理サーバ、１０１・・・ＳＮＳ誘導情報生成部、１０２・・・キャリア識別ＩＤ送信制御部、１０３・・・アンサ受信制御部、１０４・・・ＳＮＳ誘導情報送信制御部、１０５・・・無線接続確立部１０５、ＳＮＳ誘導情報記憶部１０６、１５１・・・キャリア識別ＩＤ受信制御部、１５２・・・アンサ送信制御部、１５３・・・ＳＮＳ誘導情報受信制御部、１５４・・・ＳＮＳ誘導情報実行部、１５５・・・ＳＮＳアプリ実行部
【図１】
2018152633.tif 000003
【図２】
2018152633.tif 000004
【図３】
2018152633.tif 000005
【図４】
2018152633.tif 000006
【図５】
2018152633.tif 000007